(57)【要約】      （修正有）【課題】建物内のエネルギーフローに関する情報を簡便に把握したり、そのエネルギーフローに関する情報を手軽に持ち出して他者と共有することのできる表示システムを提供する。【解決手段】建物内に固定して設置される据置型表示器１０と建物内や建物外で携帯自在に配置される携帯型表示器２０とからなり、据置型表示器１０は、建物内のエネルギーフローに関する情報を記憶する記憶部１１と記憶されたエネルギーフローに関する情報の一部又は全部に関する二次元コードを生成する二次元コード生成部１３と生成された二次元コードを表示する表示部１１とを有し、携帯型表示器２０は、表示部１１に表示された二次元コードを画像情報として非接触通信で取得する二次元コード取得部２３と取得された二次元コードをデコードする二次元コード復元部２４とデコードされた建物内のエネルギーフローに関する情報の一部又は全部を表示する表示部２１とを有する。【選択図】図１
2014215801.tif 000002
【特許請求の範囲】
【請求項１】
建物内に固定して設置される据置型表示器と、携帯自在に配置される携帯型表示器と、からなる表示システムであって、
前記据置型表示器は、建物内のエネルギーフローに関する情報を記憶する第１記憶部と、該第１記憶部に記憶されたエネルギーフローに関する情報の一部又は全部に関する二次元コードを生成する二次元コード生成部と、前記二次元コード生成部によって生成された二次元コードを表示する第１表示部とを有し、
前記携帯型表示器は、前記第１表示部に表示された二次元コードを画像情報として非接触通信で取得する二次元コード取得部と、該二次元コード取得部によって取得された二次元コードをデコードする二次元コード復元部と、該二次元コード復元部によってデコードされた建物内のエネルギーフローに関する情報の一部又は全部を表示する第２表示部とを有することを特徴とする表示システム。
【請求項２】
前記第１表示部は、前記二次元コードと共に前記第１記憶部に記憶されたエネルギーフローに関する情報の一部又は全部を表示するようになっていることを特徴とする、請求項１に記載の表示システム。
【請求項３】
前記携帯型表示器は、前記二次元コード復元部によってデコードされた情報の一部又は全部を記憶する第２記憶部を更に有することを特徴とする、請求項１または２に記載の表示システム。
【請求項４】
前記携帯型表示器は、前記第２記憶部に記憶された情報の一部又は全部を無線通信もしくは有線通信で外部機器へ送信する送信部を更に有することを特徴とする、請求項３に記載の表示システム。
【請求項５】
前記携帯型表示器の前記第２記憶部は、該携帯型表示器から取り外し自在となっていることを特徴とする、請求項３または４に記載の表示システム。
【発明の詳細な説明】
【技術分野】
【０００１】
本発明は表示システムに関し、例えば一般家屋や商業用ビル、工場などの建物内のエネルギーフローに関する情報を表示するのに適した表示システムに関する。
【背景技術】
【０００２】
従来から、例えば一般家屋や商業用ビル、工場などといった建物内の省エネルギー（以下「省エネ」という）やエネルギー消費の管理を目的として、現在における電気、ガス、水道水などのエネルギー消費量やその使用料金を表示し、それらが使用者等により予め設定された閾値を超えた際に警告を発する省エネナビゲーション機能付きの表示器が知られている。
【０００３】
上記する表示器は、一般に建物内のリビングや浴室、管理室などに設置されており、使用者等がその表示器の設置場所まで移動してエネルギーフローに関する情報（電気、ガス、水道水などのエネルギー消費量やその使用料金等）を把握することで、建物内の省エネを促進させることができる（例えば、特許文献１、２）。
【０００４】
ところで、近年では、省エネ性と利便性と快適性を両立し得る「スマートエネルギーハウス」の実現を目指して様々な実験が行われている。この「スマートエネルギーハウス」は、燃料電池・太陽電池・蓄電池といった３電池システムと先進の住宅設備を集約し、これら３電池システムや家電機器をＨＥＭＳ（Home Energy Management System）と称される制御装置で自動制御し、建物内の電気やガスを効率的に管理することによって、建物内の快適性と利便性、省エネ性を両立するものである。
【０００５】
この「スマートエネルギーハウス」においては、電気、ガス、水道水などのエネルギー消費量のみならず、燃料電池による発電量や排熱量、太陽電池による発電量、蓄電池による充放電量などが相俟って建物内の省エネ性と利便性と快適性を高次元で両立しており、建物内のエネルギーフローが複雑化しかつその情報量も増加するため、その使用者等に対してそれらエネルギーフローに関する情報を把握し易くすること（エネルギーの「見える化」）が望まれている。また、使用者としても、環境意識や節約意識の高まりなどから、それらエネルギーフローに関する多量の情報を簡便に把握したいといった要望やそれらエネルギーフローに関する情報を手軽に持ち出して他者と共有したいといった要望などがある。
【０００６】
このような使用者の要望に対して、特許文献３には、外出による省エネを促進させるために建物内の表示器に表示される情報を外出先の居住者へ送信する技術が開示されている。特許文献３に開示されている省エネルギー効果表示システムは、所定の通信回線を介して、建物内の表示器に表示される情報の一部または全部を居住者が外出先で使用する情報端末に送信するシステムである。
【先行技術文献】
【特許文献】
【０００７】
【特許文献１】特開２０１１−２４８６４３号公報
【特許文献２】特開２０１２−０６８７９１号公報
【特許文献３】特開２００６−２８５３４３号公報
【発明の概要】
【発明が解決しようとする課題】
【０００８】
特許文献３に開示されている省エネルギー効果表示システムによれば、居住者が外出先においてリアルタイムに外出による省エネルギー効果を把握することができる。
【０００９】
しかしながら、特許文献３に開示されている省エネルギー効果表示システムにおいては、例えば建物内に設置された表示器に対してネットアダプタ等の新たなハードウェアを追加する必要があり、その製造コストが高騰するといった問題がある。
【００１０】
本発明は、上記の事情に鑑みてなされたものであり、例えば建物内に設置された表示器に対してネットアダプタ等の新たなハードウェアを追加することなく、安価な構成でもって、使用者等が建物内のエネルギーフローに関する情報を簡便に把握したり、そのエネルギーフローに関する情報を手軽に持ち出して他者と共有することのできる表示システムを提供することを目的とする。
【課題を解決するための手段】
【００１１】
上記の課題を解決すべく、本発明による表示システムは、建物内に固定して設置される据置型表示器と、携帯自在に配置される携帯型表示器と、からなる表示システムであって、前記据置型表示器は、建物内のエネルギーフローに関する情報を記憶する第１記憶部と、該第１記憶部に記憶されたエネルギーフローに関する情報の一部又は全部に関する二次元コードを生成する二次元コード生成部と、前記二次元コード生成部によって生成された二次元コードを表示する第１表示部とを有し、前記携帯型表示器は、前記第１表示部に表示された二次元コードを画像情報として非接触通信で取得する二次元コード取得部と、該二次元コード取得部によって取得された二次元コードをデコードする二次元コード復元部と、該二次元コード復元部によってデコードされた建物内のエネルギーフローに関する情報の一部又は全部を表示する第２表示部とを有することを特徴としている。
【００１２】
ここで、建物内のエネルギーフローに関する情報としては、例えば電気、ガス、水道水などの各エネルギー消費量、水素ガス（反応ガス）の電気化学反応を用いて電力を発生させる燃料電池による発電量や排熱量、太陽光を用いて電力を発生させる太陽電池による発電量、鉛やリチウムなどの蓄電池による充放電量、エネルギー消費量を二酸化炭素排出量に換算した量、エネルギー消費量を料金に換算したもの、燃料電池や太陽電池、蓄電池の利用により削減されたエネルギー削減量、そのエネルギー削減量を二酸化炭素削減量に換算した量、給湯器による温水の使用量などが挙げられる。
【００１３】
上記する形態の表示システムによれば、例えば建物内に固定して設置される据置型表示器のソフトウェアの改変といった簡単な方法により、第１記憶部に記憶されたエネルギーフローに関する情報の一部又は全部に関する二次元コードを生成し、生成された二次元コードをその第１表示部に表示させることができる。その際、例えばコード化に関する既存のプログラミング技術を用いることによって、第１表示部に表示させるための二次元コードを安価に生成することができる。また、携帯型表示器は、カメラなどの既存の画像取得技術を用いることによって、据置型表示器との通信に必要なハードウェアを追加することなく、第１表示部に表示された二次元コードを画像情報として安価に取得することができる。さらに、携帯型表示器は、例えばコード化に関する既存のプログラミング技術を用いることによって、取得された二次元コードを簡単に当該携帯型表示器内でデコードし、デコードされた建物内のエネルギーフローに関する情報の一部又は全部を使用者等が直接的にその内容を把握し得る形態で表示させることができる。このように、上記する形態の表示システムによれば、例えば据置型表示器のソフトウェアを改変し、コード化に関する既存のプログラミング技術を用いて二次元コードを生成し、カメラなどの画像取得技術を用いて据置型表示器から携帯型表示器へ二次元コードを転送し、携帯型表示器内においてもコード化に関する既存のプログラミング技術を用いて二次元コードをデコードしてデコードされた情報の一部又は全部を表示することによって、据置型表示器に対して据置型表示器との通信に必要な新たなハードウェアを追加するよりも、表示システム全体として安価な構成でもって、使用者等が携帯型表示器の第２表示部を介して簡便に建物内のエネルギーフローに関する情報を把握したり、携帯型表示器でそのエネルギーフローに関する情報を手軽に持ち出して他者と共有することができ、建物内のエネルギーフローに関する情報の利便性を格段に高めることができる。
【００１４】
また、上記する形態の表示システムでは、前記第１表示部が、前記二次元コードと共に前記第１記憶部に記憶されたエネルギーフローに関する情報の一部又は全部を表示するようになっていることが好ましい。
【００１５】
上記する据置型表示器の第１表示部は、二次元コード生成部によって生成された二次元コードのみを表示してもよいし、二次元コードと共に第１記憶部に記憶されたエネルギーフローに関する情報の一部又は全部を使用者等が直接的にその内容を把握し得る形態で表示してもよいが、既に市販されている据置型表示器は通常、建物内のエネルギーフローに関する情報を表示するようになっているため、後者の場合であっても、既存の据置型表示器のソフトウェアを改変することにより、市販されている据置型表示器に対して多くのコストを要することなく、使用者等は据置型表示器の第１表示部を介して建物内のエネルギーフローに関する情報を把握することができる。
【００１６】
また、上記する形態の表示システムでは、前記携帯型表示器が、前記二次元コード復元部によってデコードされた情報の一部又は全部を記憶する第２記憶部を更に有することが好ましい。
【００１７】
上記する形態の表示システムによれば、据置型表示器の第１記憶部に記憶された建物内のエネルギーフローに関する情報の一部又は全部を携帯型表示器に転送して記憶でき、据置型表示器の第１記憶部に長期に亘ってエネルギーフローに関する情報を記憶する必要がなくなるため、例えば据置型表示器の第１記憶部の記憶容量を小さくすることができ、据置型表示器を小型化することができる。また、例えば携帯型表示器が市販されている携帯端末などの通信機器である場合には、予め情報を記憶するための内部メモリやメモリカードなどの記憶媒体が内蔵されているため、携帯型表示器に対して多くのコストを要することなく、携帯型表示器に対してエネルギーフローに関する情報の一部又は全部を記憶させることができ、表示システム全体としてその製造コストを抑制することができる。
【００１８】
また、上記する形態の表示システムでは、前記携帯型表示器が、前記第２記憶部に記憶された情報の一部又は全部を無線通信もしくは有線通信で外部機器へ送信する送信部を更に有することが好ましい。
【００１９】
上記する形態の表示システムによれば、第２記憶部に記憶された建物内のエネルギーフローに関する情報の一部又は全部を例えば所定のプログラムが記憶された外部機器へ送信して有効に利用することができ、建物内のエネルギーフローに関する情報の利便性をより一層高めることができる。また、第２記憶部に記憶された建物内のエネルギーフローに関する情報を例えば大容量の記憶媒体へ送信して長期に亘って保存することができ、建物内のエネルギーフローに関する情報の利便性をより一層高めることができる。その際、例えば携帯型表示器が市販されている携帯端末などの通信機器である場合には、電話回線やインターネット回線等の通信回線による無線通信に必要な機器や電気ケーブルによる有線通信に必要な接続コネクタ等が予めその通信機器に設けられているため、携帯型表示器に対して無線通信や有線通信に必要な機器もしくは接続コネクタなどを新たに追加することなく、第２記憶部に記憶された情報の一部又は全部を安価に外部機器へ送信することができる。
【００２０】
また、上記する形態の表示システムでは、前記携帯型表示器の前記第２記憶部が、前記携帯型表示器から取り外し自在となっていることが好ましい。
【００２１】
上記する形態の表示システムによれば、第２記憶部に記憶された建物内のエネルギーフローに関する情報の一部又は全部を簡便に携帯型表示器から取り出して外部機器等で利用することができるため、建物内のエネルギーフローに関する情報の利便性を更に高めることができる。
【発明の効果】
【００２２】
本発明によれば、例えば一般家屋や商業用ビル、工場などの建物内に固定して設置された表示器に対して新たなハードウェアを追加することなく、安価な構成でもって、使用者等が建物内のエネルギーフローに関する情報を簡便に把握したり、そのエネルギーフローに関する情報を手軽に持ち出して他者と共有することができるため、建物内のエネルギーフローに関する情報の利便性を格段に高めることができる。
【図面の簡単な説明】
【００２３】
【図１】本発明による表示システムの実施の形態の全体構成を示すブロック図。
【図２】図１に示す固定型表示器の外観を模式的に示す模式図。
【図３】図１に示す携帯型表示器の外観を模式的に示す模式図であって、（ａ）はその表側を示す図、（ｂ）はその裏面側を示す図。
【発明を実施するための形態】
【００２４】
以下、図面を参照しながら本発明を説明する。
図１は、本発明による表示システム１の実施の形態の全体構成を示すブロック図である。図１に示す表示システム１は、主に、建物内のリビングや浴室、管理室の壁面などに固定して設置される据置型表示器１０と、建物の内部や外部で携帯自在に配置される携帯型表示器２０と、を備えている。
【００２５】
据置型表示器１０は、例えば建物内の給湯温度や暖房温度の設定を行うための表示パネルであって、主に記憶部（第１記憶部）１２と二次元コード生成部１３と表示部（第１表示部）１１とを有している。
【００２６】
据置型表示器１０の記憶部１２は、例えば電気、ガス、水道水などのメータ、建物の外部に配設された燃料電池や太陽電池、蓄電池などと通信可能に接続されており、電気、ガス、水道水などの各エネルギー消費量、水素ガス（反応ガス）の電気化学反応を用いて電力を発生させる燃料電池による発電量や排熱量、太陽光を用いて電力を発生させる太陽電池による発電量、鉛やリチウムなどの蓄電池による充放電量、エネルギー消費量を二酸化炭素排出量に換算した量、エネルギー消費量を料金に換算したもの、燃料電池や太陽電池、蓄電池の利用により削減されたエネルギー削減量、そのエネルギー削減量を二酸化炭素削減量に換算した量、給湯器による温水の使用量などといった、建物内のエネルギーフローに関する情報を所定の時間毎に更新しながら記憶する。
【００２７】
また、上記記憶部１２は二次元コード生成部１３と通信可能に接続されており、二次元コード生成部１３は、据置型表示器１０のソフトウェアに書き込まれたコード化に関するプログラムを用いて、記憶部１２に記憶されたエネルギーフローに関する情報のうち、例えば使用者等によって予め設定された情報や省エネの促進に有効な情報、表示部１１の一画面上に表示される情報や表示部１１の複数画面における情報などに関する二次元画像からなる二次元コードを生成する。ここで、二次元コード生成部１３によって生成される二次元コードに含まれる情報は、例えば据置型表示器１０のソフトウェアを改変することによって簡単に変更することができる。なお、二次元コード生成部１３による二次元コードの生成方法としては、コード化に関する既存のプログラミング技術を適用できるため、その詳細な説明は省略する。
【００２８】
上記記憶部１２および二次元コード生成部１３は表示部１１と通信可能に接続されており、表示部１１は、記憶部１２に記憶されたエネルギーフローに関する情報の一部又は全部を文字情報や画像情報などを用いた使用者等が直接的にその内容を把握し得る形態で表示するとともに、二次元コード生成部１３によって生成された二次元コードをその画面上に表示する。
【００２９】
具体的には、図２に示すように、据置型表示器１０には４つのボタン１４ａ〜１４ｄが設けられており、使用者等がボタン１４ａを押圧すると、その操作信号が記憶部１２へ送信され、記憶部１２に記憶された建物内のエネルギーフローに関する情報のうち、例えば現在における電気、ガス、水道水などの各エネルギー消費量、燃料電池による発電量や排熱量、太陽電池による発電量、蓄電池による充放電量、エネルギー消費量を二酸化炭素排出量に換算した量、エネルギー消費量を料金に換算したものなどの情報が所定の時間毎に更新されながら表示部１１の略中心部に表示される。また、使用者等の操作信号は二次元コード生成部１３へも送信され、二次元コード生成部１３によって記憶部１２に記憶されたエネルギーフローに関する情報の一部又は全部に関する二次元コード１３ａが生成され、生成されたその二次元コード１３ａが表示部１１の角部に表示される。
【００３０】
また、使用者等がボタン１４ｂ〜１４ｄのいずれかを押圧する若しくはボタン１４ａ〜１４ｄを所定の手順に従って操作すると、その操作信号が記憶部１２へ送信され、記憶部１２に記憶された建物内のエネルギーフローに関する情報のうち、例えば燃料電池や太陽電池、蓄電池の利用により削減されたエネルギー削減量、そのエネルギー削減量を二酸化炭素削減量に換算した量などの省エネに関する情報が表示部１１へ送信されてその略中心部に表示される。その際、二次元コード生成部１３によって表示部１１の角部に表示される二次元コード１３ａが変更されてもよい。
【００３１】
ここで、二次元コード生成部１３によって生成された二次元コード１３ａは、上記するように記憶部１２に記憶された情報と共に据置型表示器１０の表示部１１に常時表示されてもよいし、表示部１１の複数画面に一度の割合で表示されてもよいし、使用者等の据置型表示器１０のボタン１４ａ〜１４ｄの操作に応じてその表示部１１に表示されてもよい。
【００３２】
また、据置型表示器１０の表示部１１は、上記するように記憶部１２に記憶された情報の一部又は全部と二次元コード生成部１３によって生成された二次元コード１３ａを常時表示してもよいし、通常は記憶部１２に記憶された情報の一部又は全部をその画面上に表示しながら、使用者等がボタン１４ａ〜１４ｄを所定の手順に従って操作した際に二次元コード生成部１３によって生成された二次元コード１３ａのみを表示してもよい。また、据置型表示器１０の表示部１１は、二次元コード生成部１３によって生成された二次元コード１３ａのみをその画面上に表示してもよい。
【００３３】
一方、携帯型表示器２０は、例えば建物内のエネルギーフローに関する情報を読み込んで表示するための携帯型の端末であって、主に二次元コード取得部２３と二次元コード復元部２４と表示部（第２表示部）２１と記憶部（第２記憶部）２２と送信部２５とを有している。この携帯型表示器２０は、例えば据置型表示器１０の表示部１１に表示される画像を取得し得るカメラを備えた専用端末であってもよいし、カメラを備えた携帯電話などの市販の通信端末であってもよい。
【００３４】
携帯型表示器２０は、据置型表示器１０との通信に必要なハードウェアを有していないものの、その二次元コード取得部２３は、例えば二次元画像を取得し得るカメラによって、据置型表示器１０の表示部１１に表示された二次元コード１３ａを画像情報として非接触通信で取得する。
【００３５】
また、二次元コード取得部２３は二次元コード復元部２４と通信可能に接続されており、二次元コード復元部２４は、携帯型表示器２０のソフトウェアに書き込まれたコード化に関するプログラムを用いて、二次元コード取得部２３によって取得された二次元コードをデコードする。なお、二次元コード復元部２４による二次元コードの復元方法としては、コード化に関する既存のプログラミング技術を適用できるため、その詳細な説明は省略する。
【００３６】
また、二次元コード復元部２４は、例えば携帯型表示器２０に内蔵された内部メモリもしくは携帯型表示器２０から取り外し自在となっているメモリカードなどの記憶媒体からなる記憶部２２と通信可能に接続されており、記憶部２２は、二次元コード復元部２４によってデコードされた二次元コードに含まれるエネルギーフローに関する情報の一部又は全部を記憶する。
【００３７】
また、二次元コード復元部２４は表示部２１と通信可能に接続されており、表示部２１は、二次元コード復元部２４によってデコードされた建物内のエネルギーフローに関する情報の一部又は全部を文字情報や画像情報などを用いた使用者等が直接的にその内容を把握し得る形態で表示する。また、表示部２１は記憶部２２と通信可能に接続されており、予め記憶部２２に記憶された情報の一部又は全部を使用者等が直接的にその内容を把握し得る形態で表示することもできる。
【００３８】
具体的には、図３（ａ）に示すように、携帯型表示器２０には３つのボタン２６ａ〜２６ｃが設けられており、図３（ｂ）に示す二次元コード取得部２３を据置型表示器１０の表示部１１に表示された二次元コード１３ａに近接させた状態で使用者等がボタン２６ａを押圧すると、その操作信号が二次元コード取得部２３へ送信され、二次元コード取得部２３を介して表示部１１に表示された二次元コード１３ａが画像情報として携帯型表示器２０に取得される。二次元コード取得部２３によって取得された二次元コード１３ａは二次元コード復元部２４へ送信され、二次元コード復元部２４によってデコードされた情報の一部又は全部が表示部２１へ送信され、使用者等が直接的にその内容を把握し得る形態で表示される。また、二次元コード復元部２４によってデコードされた情報の一部又は全部は記憶部２２へ送信されて当該記憶部２２に記憶される。
【００３９】
また、使用者等がボタン２６ｂ、２６ｃのいずれかを押圧する若しくはボタン２６ａ〜２６ｃを所定の手順に従って操作すると、その操作信号が記憶部２２へ送信され、例えば記憶部２２に記憶された過去の情報あるいは現在の情報と過去の情報との比較情報などが表示部２１へ送信され、表示部２１に表示される情報が更新される。
【００４０】
このように、例えば既に市販される据置型表示器１０のソフトウェアを改変し、コード化に関する既存のプログラミング技術を用いて二次元コード１３ａを生成し、カメラなどの画像取得技術を用いて据置型表示器１０から携帯型表示器２０へ二次元コード１３ａを転送し、携帯型表示器２０内においてコード化に関する既存のプログラミング技術を用いて二次元コードをデコードして表示することによって、据置型表示器１０に対して新たなハードウェアを追加するよりも、表示システム１全体として安価な構成でもって、使用者等は、携帯型表示器２０の表示部２１を介して建物内のエネルギーフローに関する情報を簡便に把握することができるとともに、そのエネルギーフローに関する情報を携帯型表示器２０に保存した状態で手軽に持ち出して他者と共有することができる。これにより、建物内のエネルギーフローに関する情報の利便性を格段に高めることができる。また、携帯型表示器２０として、カメラを備えた携帯電話などの市販の通信端末を適用した場合には、据置型表示器１０の表示部１１に表示された二次元コード１３ａを画像情報として非接触通信で取得する二次元コード取得部２３や、二次元コードをデコードする二次元コード復元部２４、デコードされた情報の一部又は全部を表示する表示部２１などを新たに構築する必要がないため、より簡便かつ安価に表示システム１を構築することができる。
【００４１】
また、据置型表示器１０の記憶部１２に記憶された建物内のエネルギーフローに関する情報を携帯型表示器２０の記憶部２２に転送して記憶する場合には、据置型表示器１０の記憶部１２に長期に亘ってエネルギーフローに関する情報を記憶する必要がなくなるため、据置型表示器１０の記憶部１２の記憶容量を小さくすることができ、据置型表示器１０を小型化することができる。また、例えば携帯型表示器２０として、市販の携帯端末などの通信機器を適用した場合には、予め情報を記憶するための内部メモリやメモリカードなどの記憶媒体が内蔵されているため、表示システム１全体の製造コストを抑制することもできる。
【００４２】
また、本表示システム１では、記憶部２２は通信部２５と通信可能に接続されており、使用者等がボタン２６ａ〜２６ｃを所定の手順に従って操作すると、その操作信号が送信部２５へ送信され、送信部２５は、記憶部２２に記憶されたエネルギーフローに関する情報の一部又は全部を無線通信もしくは有線通信を介して不図示の外部機器へ送信するようになっている。
【００４３】
このような構成とすることで、使用者等は、建物内の省エネに必要な長期に亘る情報（例えば数年に亘る季節毎の建物内のエネルギーフローに関する情報）を所定のプログラムが記憶された外部機器へ随時送信して有効に利用したり、大容量の記憶媒体へ送信して長期に亘って保存することができ、建物内のエネルギーフローに関する情報の利便性をより一層高めることができる。ここで、携帯型表示器２０が例えば携帯端末などの市販の通信機器である場合には、電話回線やインターネット回線等の通信回線による無線通信に必要な機器や電気ケーブルによる有線通信に必要な接続コネクタ等が予めその通信機器に設けられているため、携帯型表示器２０に対して無線通信や有線通信に必要な機器もしくは接続コネクタなどを新たに追加することなく、携帯型表示器２０は、それらを利用して第２記憶部に記憶された情報の一部又は全部を安価に不図示の外部機器へ送信することができる。
【００４４】
なお、上記する実施の形態では、据置型表示器１０が４つのボタン１４ａ〜１４ｄを有し、携帯型表示器２０が３つのボタン２６ａ〜２６ｃを有する形態について説明したが、ボタンは、例えば据置型表示器１０や携帯型表示器２０のタッチパネル式の表示画面に一時的に表示されるボタンであってもよい。また、据置型表示器１０や携帯型表示器２０のボタンの数や配置、据置型表示器１０や携帯型表示器２０の表示画面の数や配置などは適宜変更することができる。
【００４５】
以上から、本実施の形態の表示システム１によれば、例えば一般家屋や商業用ビル、工場などの建物内に固定して設置された据置型表示器１０に新たなハードウェアを追加することなく、安価な構成でもって、使用者等が、携帯型表示器２０を介して建物内のエネルギーフローに関する情報を簡便且つ精緻に把握したり、そのエネルギーフローに関する情報を手軽に持ち出して他者と共有することができるため、建物内のエネルギーフローに関する情報の利便性を格段に高めることができる。
【符号の説明】
【００４６】
１…表示システム、
１０…据置型表示器、
１１…表示部（第１表示部）、
１２…記憶部（第１記憶部）、
１３…ニ次元コード生成部、
１３ａ…ニ次元コード、
２０…携帯型表示器、
２１…表示部（第２表示部）、
２２…記憶部（第２記憶部）、
２３…二次元コード取得部、
２４…二次元コード復元部、
２５…送信部
【図１】
2014215801.tif 000003
【図２】
2014215801.tif 000004
【図３】
2014215801.tif 000005